(57)【要約】  携帯電話通信ネットワークにおいて用いられるための基地局は送信電力をレポートする構成を有する。基地局の送信電力はレポート可能な範囲外である場合に、レポート可能な範囲内で調整された送信電力をレポートする。また、調整係数も送信する。調整係数分、調整された送信電力は、送信電力とは異なる。基地局は、少なくとも１つの他の基地局のレポートされた送信電力に基づいて、電力設定を適合するように構成され、さらに、少なくとも１つの他の基地局のレポートされた送信電力を検出し、少なくとも１つの他の基地局によって別に送信された調整係数を検出するように構成される。そして、レポートされた送信電力と調整係数との合計に基づいて、電力設定を適合するように構成される。【選択図】図２
2011518511.tif 000002
【特許請求の範囲】
【請求項１】
送信電力をレポートするための構造を備えた、携帯電話通信ネットワークにおいて用いられるための基地局であって、
前記基地局は、送信電力がレポート可能範囲外である場合に、前記レポート可能範囲内に調整された送信電力をレポートして、また、調整係数も送信し、前記調整された送信電力は、前記調整係数分、前記送信電力と異なることを特徴とする基地局。
【請求項２】
前記送信電力は、ＣＰＩＣＨの送信電力であることを特徴とする請求項１に記載の基地局。
【請求項３】
予め定められたシステム情報ブロックにおいて前記調整係数を送信するように構成されることを特徴とする請求項１又は２に記載の基地局。
【請求項４】
前記調整係数分、アップリンク干渉値と異なる調整されたアップリンク干渉値をレポートするようにさらに構成されることを特徴とする請求項１乃至３のいずれか１項に記載の基地局。
【請求項５】
前記レポート可能範囲は、前記ネットワークの携帯電話通信規格により決定されていることを特徴とする請求項１乃至４のいずれか１項に記載の基地局。
【請求項６】
携帯電話通信ネットワークの基地局において用いられるための、送信電力をレポートする方法であって、
送信電力がレポート可能範囲外である場合に、前記レポート範囲内に調整された電力と、調整係数とを算出する工程であり、前記調整係数分、前記調整された電力と前記送信電力とは異なる工程と、
前記調整された送信電力をレポートする工程と、
前記調整係数を送信する工程と
を有することを特徴とする方法。
【請求項７】
前記送信電力は、ＣＰＩＣＨの送信電力であることを特徴とする請求項６に記載の方法。
【請求項８】
予め定められたシステム情報ブロックにおいて前記調整係数を送信する工程を有することを特徴とする請求項６又は７に記載の方法。
【請求項９】
前記調整係数分、アップリンクの干渉値と異なる調整されたアップリンクの干渉値をレポートする工程をさらに有することを特徴とする請求項６乃至８のいずれか１項に記載の方法。
【請求項１０】
前記レポート可能範囲は、前記ネットワークの携帯電話通信規格により決定されることを特徴とする請求項６乃至９のいずれか１項に記載の基地局。
【請求項１１】
携帯電話通信ネットワークにおいて用いられるための基地局であって、
前記基地局は、少なくとも１つの他の基地局のレポートされる送信電力に基づいて、電力の設定を適合させるように構成された基地局であり、さらには、前記少なくとも１つの他の基地局の前記レポートされる送信電力を検出し、前記少なくとも１つの他の基地局により別に送信される調整係数を検出し、前記レポートされる送信電力と前記調整係数との合計に基づいて、電力の設定を適合させるように構成されることを特徴とする基地局。
【請求項１２】
携帯電話通信ネットワークの基地局において用いられるための方法であって、
少なくとも１つの他の基地局のレポートされる送信電力を検出する工程と、
前記少なくとも１つの他の基地局により別に送信される調整係数を検出する工程と、
前記レポートされた送信電力と前記調整係数との合計を生成する工程と、
前記レポートされた送信電力と前記調整係数の前記合計に基づいて、前記基地局の電力設定を適合させる工程と
を有することを特徴とする方法。
【発明の詳細な説明】
【技術分野】
【０００１】
本発明は、携帯電話通信システムの基地局において用いられるための電力制御システムに関する。
【背景技術】
【０００２】
携帯電話通信システムにおける送信電力の制御が重要であることが認識されており、特に、符号分割多重アクセス方式（ＣＤＭＡ）を用いる携帯電話システム、そのようなシステムだけではないが、において認識されている。もし、送信電力が低すぎる場合には、送信信号は、正確に受信されることができないであろう。しかしながら、もし、送信電力が高すぎる場合には、このことは、過度のバッテリ使用（無線装置から基地局へのアップリンク送信の場合）と、他の送信との干渉の可能性の増加と、それに従うシステム容量の低減とを暗示する。従って、そのようなシステムの仕様を決定する通信規格が詳細に記述されて電力制御が達成される。
【０００３】
例えば、３ＧＰＰ仕様は、要求される通信電力を達成するために、携帯電話基地局と携帯電話端末との間で交換され得るメッセージのフォーマットを規定している。
【発明の概要】
【発明が解決しようとする課題】
【０００４】
今日ではフェムトセル基地局が存在し、ユーザの自宅や事務所の建物内等の小エリアにおいて携帯電話のサービスエリアが提供されることを意図している。３ＧＰＰ仕様で規定されるメッセージは、そのようなフェムトセル基地局の可能な配置の全てを適切に網羅していないことが見出されている。
【課題を解決するための手段】
【０００５】
本発明の一態様によると、携帯電話通信ネットワークにおいて用いられるための、送信電力をレポートする構成を有する基地局が提供される。その基地局は、送信電力がレポート可能範囲外である場合には、レポート範囲内で調整された送信電力をレポートし、また、調整係数を送信し、調整係数分、調整された送信電力は送信電力と異なるように、構成される。
【０００６】
本発明の第２の態様によると、携帯電話通信ネットワークにおいて用いられるための基地局が提供される。その基地局は、少なくとも１つの他の基地局のレポートされた送信電力に基づいて、電力設定を適合させるように構成され、さらには、少なくとも１つの他の基地局のレポートされた送信電力を検出し、少なくとも１つの他の基地局により別に送信された調整係数を検出し、レポートされた送信電力と調整係数との合計に基づいて、電力設定を適合させるように構成される。
【図面の簡単な説明】
【０００７】
【図１】携帯電話通信ネットワークの一部分を示す図である。
【図２】本発明に係る第１の方法を示すフローチャートである。
【図３】本発明に係る第２の方法を示すフローチャートである。
【発明を実施するための形態】
【０００８】
本発明の更なる理解のためと、どのように効果があるのかということを示すために、添付の図面が一例として参照される。
【０００９】
図１は、携帯電話通信ネットワークの一部分を示す。第１のフェムトセル基地局１０は、インターネットのような、携帯電話ネットワークオペレータのコアネットワーク１４への接続を許可する広域エリアネットワーク（ＷＡＮ）１２への接続を有する。同じ携帯電話ネットワークオペレータにより動作される第２のフェムトセル基地局１６は、コアネットワーク１４への接続を許可する、広域エリアネットワーク（ＷＡＮ）１２上の類似の接続を有する。コアネットワーク１４の一部分は、管理ノード２０であり、フェムトセル基地局１０、１６の動作をモニタすることができ、広域エリアネットワーク１２上で情報をそれらに送信することができる。
【００１０】
認識されるように、各フェムトセル基地局１０、１６は、携帯電話１８のような携帯電話端末に、フェムトセル基地局の１つへの接続を確立して携帯電話サービスを取得することを許可するように、特定の構内等の小エリア上のサービスエリアを提供するように意図されている。それゆえ、好ましいこととして、フェムトセル基地局１０、１６は、相互に極めて近接して配置され、例えば、２つの構内を分割する壁のいずれか一方側に配置される。若しくは、ビルの異なるフロア上に配置される。
【００１１】
同時に、フェムトセル基地局１０、１６が小エリア上のサービスエリアを提供することを意図されているのみであるので、それらは、高い電力で送信する必要がなく、フェムトセル基地局と通信する携帯電話は、高い電力で送信する必要がない。
【００１２】
それゆえ、適切な電力制御アルゴリズムを提供することが重要である。その結果、関連する送信間での干渉の可能性を低減することができる。
【００１３】
図示される実施形態において、フェムトセル基地局１０、１６を含む携帯電話通信ネットワークは、３ＧＰＰ仕様に従って動作する。３ＧＰＰ仕様は、基地局または携帯電話機器により実行されるべき電力制御アルゴリズムを定義している。
【００１４】
フェムトセル基地局１０、１６は、実質的に従来の基地局と同じ方法で動作する。そして、このことは、本発明の理解に要求される以外は、より詳しくは記載されない。しかしながら、各フェムトセル基地局１０、１６は、他のフェムトセル基地局を含んで、他の携帯電話基地局からの送信を検出することができることは注目に値する。それゆえ、各フェムトセル基地局１０、１６は、システムアップリンク周波数帯上での送信を検出することができる回路と同様に、システムダウンリンク周波数帯上での送信を検出するための回路を含む。
【００１５】
上述したように、基地局と無線機器は、適切な電力制御で動作しなくてはならない。フェムトセル基地局１０、１６はそれゆえ、他のフェムトセル基地局とマクロセル基地局を含む他の基地局から送信された信号の電力を検出し、これらの検出された電力に基づいて、初期最大アップリンク電力と初期最大ダウンリンク電力を設定する。それらのパラメータが設定される構成の詳細は、本発明の理解には要求されない。しかしながら、電力制御の１つの特徴として、フェムトセル基地局がお互いに近接して配置された場合に、それらは、初期最大ダウンリンク電力が等しくなるように設定する。このことは、それぞれが、電力を他方より大きくするように増加させようとする状況を回避する。
【００１６】
１つのフェムトセル基地局は、近くのフェムトセル基地局の初期最大ダウンリンク電力を決定するために、３ＰＧＧ仕様に従う近くのフェムトセル基地局によりブロードキャストされるＣＰＩＣＨ（Ｃｏｍｍｏｎ  Ｐｉｌｏｔ  Ｃｈａｎｎｅｌ）についての値を原理上、用いることができる。しかしながら、フェムトセル基地局は、３ＧＰＰ仕様では予想されない方法で配置されることができる。その結果、近くのフェムトセル基地局が３ＧＰＰ仕様で提供される構成を用いて、ＣＰＩＣＨ送信電力を正確にレポートすることができないかもしれない。
【００１７】
図２は、フェムトセル基地局がその送信電力をレポートすることができる方法を示す。
【００１８】
ステップ５０において、フェムトセル基地局は、現在の送信電力、特に、可変のＣＰＩＣＨ＿Ｔｘ＿Ｐｏｗｅｒについての現在値を判定することができる。上述したように、３ＧＰＰ仕様は、システム情報ブロックの特定の１つにおいて値を含むことにより、基地局がこの値をレポートできる構成を定義している。基地局のサービスエリアにおける携帯電話機器は、要求に応じて、レポートされた値を検出する。
【００１９】
しかしながら、３ＰＧＧ規格は、５０ｄＢｍから‐１０ｄＢｍの範囲内での値がレポートされることを許可しているのみである。一方で、フェムトセル基地局は、ＣＰＩＣＨ送信電力は、０ｄＢｍから‐３５ｄＢｍの範囲内であれば良い状況で配置されても良い。
【００２０】
ステップ５２において、フェムトセル基地局は、可変のＣＰＩＣＨ＿Ｔｘ＿Ｐｏｗｅｒについての現在値が閾値より低いか否かを判定する。図示される本実施形態において、閾値は、規格に従ってレポートされることができる最も低い値であるが、他の閾値も設定されることができるであろう。
【００２１】
もし、可変のＣＰＩＣＨ＿Ｔｘ＿Ｐｏｗｅｒの現在値が閾値より低い場合には、処理は、ステップ５４に進む。ステップ５４において、ＣＰＩＣＨ調整係数ＣＰＩＣＨ＿Ａｄｊｕｓｔｍｅｎｔの形式で、新しいパラメータ用に値が設定される。ＣＰＩＣＨ調整係数の値は、
ＣＰＩＣＨ＿Ａｄｊｕｓｔｍｅｎｔ＝ＣＰＩＣＨ＿Ｔｘ＿Ｐｏｗｅｒ＿Ｍｉｎ−ＣＰＩＣＨ＿Ｔｘ＿Ｐｏｗｅｒ
として設定される。ここで、ＣＰＩＣＨ＿Ｔｘ＿Ｐｏｗｅｒ＿Ｍｉｎは、例えば、本ケースにおいて、−１０ｄＢｍという規格に従ってレポートされることができる最も低い値である。
【００２２】
ステップ５６において、調整されたＣＰＩＣＨ送信電力値ＣＰＩＣＨ＿Ｔｘ＿Ｐｏｗｅｒ＿Ａｄｊｕｓｔｅｄは、実ＣＰＩＣＨ送信電力値とＣＰＩＣＨ調整係数との合計として導かれる。つまり、
ＣＰＩＣＨ＿Ｔｘ＿Ｐｏｗｅｒ＿Ａｄｊｕｓｔｅｄ＝ＣＰＩＣＨ＿Ｔｘ＿Ｐｏｗｅｒ＋ＣＰＩＣＨ＿Ａｄｊｕｓｔｍｅｎｔ
として導かれる。
【００２３】
先述したように、ＣＰＩＣＨ送信電力値についてのブロードキャスト値は、自身の電力設定の一部分として携帯電話機器により用いられる。例えば、端末は、第１のランダム・アクセス・チャネル（ＲＡＣＨ）のプリアンブルについての初期電力を、
Ｐｒｅａｍｂｌｅ＿Ｉｎｉｔｉａｌ＿Ｐｏｗｅｒ＝ＣＰＩＣＨ＿Ｔｘ＿Ｐｏｗｅｒ＋ＵＬ＿ｉｎｔｅｒｆｅｒｅｎｃｅ＋ＵＬ＿Ｒｅｑｕｉｒｅｄ＿ＣＩ−ＣＰＩＣＨ＿ＲＳＣＰとして設定する。
【００２４】
ここで、ＣＰＩＣＨ送信電力ＣＰＩＣＨ＿Ｔｘ＿Ｐｏｗｅｒとアップリンク干渉のＵＬ＿Ｉｎｔｅｒｆｅｒｅｎｃｅと、アップリンクに要求されるＣ／Ｉ比率のＵＬ＿Ｒｅｑｕｉｒｅｄ＿ＣＩは、基地局からのブロードキャストされる。また、ＣＰＩＣＨ受信コード電力ＣＰＩＣＨ＿ＲＳＣＰは、機器自身において測定される。
【００２５】
それゆえ、調整されたＣＰＩＣＨ送信電力をレポートすることは、端末にアップリンク上で過度の電力で信号を送信させてしまうことが分かる。
【００２６】
従って、その問題を避けるために、ステップ５８において、フェムトセル基地局は、アップリンク干渉値について調整された値を形成する。
【００２７】
ＵＬ＿Ｉｎｔｅｒｆｅｒｅｎｃｅ＿Ａｄｊｕｓｔｅｄ＝ＵＬ＿Ｉｎｔｅｒｆｅｒｅｎｃｅ‐ＣＰＩＣＨ＿Ａｄｊｕｓｔｍｅｎｔ
これは、端末は、問題を生じることなく、ＣＰＩＣＨ電力について調整された値とアップリンク干渉値とを用いることができることを意味している。なぜならば、調整された値の合計は、調整されない値の合計と同じだからである。従って、端末は、自身のソフトウェアへのいかなる変更をも要求することなく、規格に従って正確に、第１のＲＡＣＨプリアンブルについての初期電力を設定することができる。なぜならば、フェムトセル基地局によりレポートされた調整された値はなお、正確な結果を出力するからである。
【００２８】
ステップ６０において、ＣＰＩＣＨ調整係数がレポートされる。特に、ＣＰＩＣＨ調整係数についての値は、いかなる他の目的についても用いられないシステム情報ブロックの特定の１つにおいてレポートされる。各フェムトセル基地局におけるソフトウェアは、適切なシステム情報ブロックを識別することができる。そして、例えば、もし、未使用のシステム情報ブロックが異なる目的について後に用いられるのであれば、そのソフトウェアへのアップグレードは、要求されるかもしれないいかなる変更をも考慮することができる。
【００２９】
ステップ６２において、ＣＰＩＣＨ電力について調整された値がレポートされ、ステップ６４において、アップリンク干渉について調整された値がレポートされる。これらの調整された値は、パラメータ値をレポートするための規格に定められた構成を用いてレポートされる。
【００３０】
処理は、その後、ステップ６６において終了する。
【００３１】
もし、ステップ５２において、可変のＣＰＩＣＨ＿Ｔｘ＿Ｐｏｗｅｒについての現在値が閾値より低くない場合は、処理はステップ６８に進む。ステップ６８においては、ＣＰＩＣＨについての調整されていない値がレポートされてステップ７０に進む。ステップ７０においては、アップリンク干渉値についての調整されていない値がレポートされる。本ケースにおいては、ゼロの調整係数が上記のシステム情報ブロックを用いてレポートされることができる。
【００３２】
図３は、電力設定処理において補助するために、他のフェムトセル基地局によりブロードキャストされた信号を検出する場合に、フェムトセル基地局において実行される方法を示すフローチャートである。
【００３３】
ステップ８０において、フェムトセル基地局は、他のフェムトセル基地局によりレポートされたＣＰＩＣＨ送信電力を検出する。ステップ８２において、フェムトセル基地局は、ＣＰＩＣＨ調整係数が他のフェムトセル基地局によりレポートされたか否かを検出する。もし、そうであるなら、ステップ８４において、フェムトセル基地局は、ＣＰＩＣＨ送信電力のレポートされた値からＣＰＩＣＨ調整係数を引くことにより、他のフェムトセル基地局の真のＣＰＩＣＨ送信電力を決定する。
【００３４】
ステップ８６において、フェムトセル基地局は、その後、真のＣＰＩＣＨ送信電力について決定された値を用いて、電力設定アルゴリズムを実行する。上述したように、１つの側面が、自身のＣＰＩＣＨ送信電力を他のフェムトセル基地局のＣＰＩＣＨ送信電力に等しくするように設定することを含むとしても、それらのアルゴリズムは、本発明の一部分を形成しない。
【００３５】
真の値が規格に従ってレポートされる範囲外である場合にさえ、送信電力値がレポートされることができ、また、端末が変更なしに自身の電力設定を実行することができるシステムが記述された。
【図１】
2011518511.tif 000003
【図２】
2011518511.tif 000004
【図３】
2011518511.tif 000005
【国際調査報告】
2011518511.tif 000006
2011518511.tif 000007
2011518511.tif 000008